(57)【要約】【課題】部材を追加せずに可動子の推力を向上させたソレノイドアクチュエータを提供する。【解決手段】ソレノイドアクチュエータは、第１面部と、一端部が第１面部に固定され一端部に対向する他端部が第１面部に直交する方向に延びる第２面部とを有する磁性体素材からなるヨークと、第２面部の他端部に設けられたかしめ用凸部が挿入される固定部を有し、かしめ用凸部がかしめられることで固定部が第２面部に固定される磁性体素材からなる第１面部に平行なプレートとにより構成された固定子と、第１面部とプレートとにより挟持されたコイルと、コイルが通電された際に固定子と共に磁気回路を構成しコイルが通電制御されることにより第１面部に直交する方向に直動する磁性体素材からなる可動子とを備え、ヨークは他端部にかしめ用凸部とは異なる凸部を有し、プレートは固定部とは異なる当接部を有し、ヨークの凸部とプレートの当接部とが当接されるように構成した。【選択図】図１
2019204854.tif 000002
【特許請求の範囲】
【請求項１】
第１面部と、一端部が前記第１面部に固定され、前記一端部に対向する他端部が前記第１面部に直交する方向に延びる第２面部とを有する磁性体素材からなるヨークと、
前記第２面部の前記他端部に設けられたかしめ用凸部が挿入される固定部を有し、前記かしめ用凸部がかしめられることで前記固定部が前記第２面部に固定される、磁性体素材からなる前記第１面部に平行なプレートと、
により構成された固定子と、
前記第１面部と前記プレートとにより挟持されたコイルと、
前記コイルが通電された際に前記固定子と共に磁気回路を構成し、前記コイルが通電制御されることにより、前記第１面部に直交する方向に直動する磁性体素材からなる可動子と、を備え、
前記ヨークは、前記他端部に前記かしめ用凸部とは異なる凸部を有し、
前記プレートは、前記固定部とは異なる当接部を有し、
前記ヨークの前記凸部と前記プレートの前記当接部とが、当接されていること
を特徴とするソレノイドアクチュエータ。
【請求項２】
前記可動子は、前記プレートに設けられた直動用孔部を前記第１面部に直交する方向に直動すること
を特徴とする請求項１記載のソレノイドアクチュエータ。
【請求項３】
前記ヨークの前記凸部が、前記プレートの前記当接部に圧入されること
を特徴とする請求項１記載のソレノイドアクチュエータ。
【請求項４】
前記プレートの前記当接部における前記ヨークの前記凸部が当接される部位は、前記第１面部に直交する方向に対して勾配を有した形状であること
を特徴とする請求項３記載のソレノイドアクチュエータ。
【請求項５】
車載用ソレノイドアクチュエータとして用いること
を特徴とする請求項１から請求項４までのいずれか１項記載のソレノイドアクチュエータ。
【発明の詳細な説明】
【技術分野】
【０００１】
この発明は、ソレノイドアクチュエータに関するものである。
【背景技術】
【０００２】
ソレノイドアクチュエータの推力を向上させる技術が検討されている。
例えば、特許文献１には、磁束受渡部材をなす取付ブラケットには、ヨークとステータとの間に介在される主受渡部分に加えて、ヨークの外周面に嵌め込まれる円弧状の補助受渡部分を設け、この補助受渡部分の内周面とヨークの外周面とを磁束受渡面として積極的に活用して、取付ブラケットによりヨークとステータとの間で軸方向と径方向との両方向にわたって磁束の受渡しを行わせる電磁弁が開示されている。
【先行技術文献】
【特許文献】
【０００３】
【特許文献１】特開２０１２−１１７５８５号公報
【発明の概要】
【発明が解決しようとする課題】
【０００４】
特許文献１に開示された電磁弁は、可動子の推力を向上させるために、ヨークとステータとの間に介在される主受渡部分に加えて、補助受渡部分を設けたブラケットが必要となってしまうという問題点があった。
この発明は、上述の問題点を解決するためのもので、部材を追加せずに可動子の推力を向上させたソレノイドアクチュエータを提供することを目的としている。
【課題を解決するための手段】
【０００５】
この発明に係るソレノイドアクチュエータは、第１面部と、一端部が第１面部に固定され、一端部に対向する他端部が第１面部に直交する方向に延びる第２面部とを有する磁性体素材からなるヨークと、第２面部の他端部に設けられたかしめ用凸部が挿入される固定部を有し、かしめ用凸部がかしめられることで固定部が第２面部に固定される、磁性体素材からなる第１面部に平行なプレートと、により構成された固定子と、第１面部とプレートとにより挟持されたコイルと、コイルが通電された際に固定子と共に磁気回路を構成し、コイルが通電制御されることにより、第１面部に直交する方向に直動する磁性体素材からなる可動子と、を備え、ヨークは、他端部にかしめ用凸部とは異なる凸部を有し、プレートは、固定部とは異なる当接部を有し、ヨークの凸部とプレートの当接部とが、当接されていることを特徴とするものである。
【発明の効果】
【０００６】
この発明によれば、部材を追加せずに可動子の推力を向上させたソレノイドアクチュエータを提供できる。
【図面の簡単な説明】
【０００７】
【図１】図１Ａは、実施の形態１に係るソレノイドアクチュエータをある方向から見た構成の一例を示す外形図である。図１Ｂは、実施の形態１に係るソレノイドアクチュエータを図１Ａに示した矢印Ｙの方向から見た構成の一例を示す外形図である。図１Ｃは、実施の形態１に係るソレノイドアクチュエータを図１Ａに示した矢印Ｘの方向から見た構成の一例を示す外形図である。
【図２】図２は、実施の形態１に係るソレノイドアクチュエータを図１Ｃに示した線分Ｐ−Ｑで切断し、切断面を矢印Ｒの方向から見た構成の一例を示す断面図である。
【図３】図３は、実施の形態１に係るソレノイドアクチュエータにおけるプレートの構成の一例を示す外形図である。
【図４】図４は、ヨークとプレートとが当接する面積の大きさと、可動子が直動するための推力である可動子とコアとの間に作用する磁気吸引力の第１面部に直交する方向の成分の大きさとの関係の一例を示す図である。
【図５】図５Ａは、実施の形態１の変形例に係るソレノイドアクチュエータの構成の一例を示す断面図である。図５Ｂは、コイルが通電された状態における図５Ａに示した実施の形態１の変形例に係るソレノイドアクチュエータの構成の一例を示す断面図である。
【図６】図６は、実施の形態１の更に異なる変形例に係るソレノイドアクチュエータにおけるヨークの凸部とプレートの当接部とが当接する部分の断面の一例を示す模式図である。
【図７】図７は、これまで説明した実施の形態に係るソレノイドアクチュエータをパージソレノイドバルブに適用した構成の一例を示す外観図である。
【図８】図８は、従来のソレノイドアクチュエータの構成の一例を示す図である。
【図９】図９は、従来のソレノイドアクチュエータを図８に示した矢印Ｚの方向から見た構成の一例を示す外形図である。
【発明を実施するための形態】
【０００８】
以下、この発明の実施の形態について、図面を参照しながら詳細に説明する。
実施の形態１．
【０００９】
実施の形態１に係るソレノイドアクチュエータ１について説明する前に、従来のソレノイドアクチュエータ１０１の構成について説明する。
【００１０】
図８は、従来のソレノイドアクチュエータ１０１の構成の一例を示す図である。従来のソレノイドアクチュエータ１０１におけるプレート１０３は、プレート１０３に設けられた固定部１３１に挿入されたヨーク１０２に設けられたかしめ用凸部１２１がかしめられることで、ヨーク１０２に固定される。コイル１０４は、ヨーク１０２と、ヨーク１０２に固定されたプレート１０３とにより挟持された状態で固定されている。
【００１１】
図９は、従来のソレノイドアクチュエータ１０１を図８に示した矢印Ｚの方向から見た構成の一例を示す外形図である。コイル１０４の寸法は、ヨーク１０２とプレート１０３とによりコイル１０４を挟持するために、ヨーク１０２とプレート１０３との間に隙間１１０が生じるように構成されている。
【００１２】
以下、実施の形態１に係るソレノイドアクチュエータ１について説明する。
【００１３】
図１Ａは、実施の形態１に係るソレノイドアクチュエータ１をある方向から見た構成の一例を示す外形図である。図１Ｂは、実施の形態１に係るソレノイドアクチュエータ１を図１Ａに示した矢印Ｙの方向から見た構成の一例を示す外形図である。図１Ｃは、実施の形態１に係るソレノイドアクチュエータ１を図１Ａに示した矢印Ｘの方向から見た構成の一例を示す外形図である。
【００１４】
図２は、実施の形態１に係るソレノイドアクチュエータ１を図１Ｃに示した線分Ｐ−Ｑで切断し、切断面を矢印Ｒの方向から見た構成の一例を示す断面図である。
【００１５】
図３は、実施の形態１に係るソレノイドアクチュエータ１におけるプレート３の構成の一例を示す外形図である。
【００１６】
図１Ａ，図１Ｂ、図１Ｃ、図２、及び、図３を用いて、実施の形態１に係るソレノイドアクチュエータ１の構成について説明する。
実施の形態１に係るソレノイドアクチュエータ１は、ヨーク２、プレート３、コイル４、コア５、ばね７、及び、可動子６を備えている。
ヨーク２は、第１面部２８と、一端部が第１面部２８に固定され、一端部に対向する他端部が第１面部２８に直交する方向に延びる第２面部２７とを有する。ヨーク２は、磁性体素材からなる。
ここで、第１面部２８に直交する方向とは、平板状の第１面部２８における一面に直交する方向を意味している。なお、以下、実施の形態の説明における直交とは、必ずしも厳密な直交を意味するものではなく、略直交であればよい。
【００１７】
図１Ａ，図１Ｂ、図１Ｃ、及び、図２に示したソレノイドアクチュエータ１におけるヨーク２は、第１面部２８と第２面部２７とによって、第１面部２８に直交する方向における離れた位置が開口する直方体状の形状をしているが、ヨーク２の形状はこれに限るものではない。ヨーク２は、例えば、第２面部２７が円筒上の形状をしていてもよい。
また、図１Ａ，図１Ｂ、図１Ｃ、及び、図２に示したソレノイドアクチュエータ１におけるヨーク２は、第２面部２７が第１面部２８に平行な方向において、閉じた筒状の形状をしているが、ヨーク２における第２面部２７の形状はこれに限るものではない。例えば、ヨーク２における第２面部２７は、第１面部２８に平行な方向おいて一部が開口されていてもよい。
ここで、第１面部２８に平行な方向とは、平板状の第１面部２８における一面に平行な方向を意味している。なお、以下、実施の形態の説明における平行とは、必ずしも厳密な平行を意味するものではなく、略平行であればよい。
【００１８】
ヨーク２は、第２面部２７の他端部にかしめ用凸部２１を有する。
プレート３は、ヨーク２のかしめ用凸部２１が挿入される固定部３１を有する。プレート３は、プレート３の固定部３１に挿入されたかしめ用凸部２１がかしめられることでヨーク２に固定される。プレート３は、第１面部２８に平行に配置される。プレート３は、可動子６が直動するための直動用孔部３３を有する。プレート３は、磁性体素材からなる。
コア５は、一端部がヨーク２の第１面部２８に固定され、他端部が第１面部２８に直交する方向に伸びて、ヨーク２の第２面部２７に並設されている。コア５は、磁性体素材からなる。
ヨーク２、プレート３、及び、コア５により固定子が構成される。
【００１９】
コイル４は、コア５とヨーク２との間において、コア５を中心とした同心円状に導電性素材のワイヤがコア５を囲むことにより構成されている。コイル４は、ヨーク２の第１面部２８と、ヨーク２に固定されたプレート３とにより挟持された状態で固定されている。
実施の形態１に係るソレノイドアクチュエータ１のコイル４は、ヨーク２の第２面部２７とコア５との間に配置されている。
図１Ａ及び図１Ｃに示したとおり、コイル４の寸法は、ヨーク２の第２面部２７とプレート３との間に第１面部２８に直交する方向の隙間１０が生じるように構成されている。コイル４は、この隙間１０があることにより、コイル４がヨーク２の第１面部２８とプレート３とに挿入された状態で、第２面部２７のかしめ用凸部２１がかしめられることで、ヨーク２の第１面部２８とプレート３とにより挟持された状態で固定される。
【００２０】
図１Ｂには、実施の形態１に係るソレノイドアクチュエータ１におけるヨーク２のかしめ用凸部２１とプレート３の固定部３１が、それぞれ４個ずつ示されているが、この限りではない。第２面部２７のかしめ用凸部２１及びプレート３の固定部３１は、コイル４が第１面部２８とプレート３とにより挟持された状態で、ヨーク２とプレート３とが固定できるように構成されていればよい。
可動子６は、コイル４が通電された際に固定子と共に磁気回路を構成する。可動子６は、コイル４が通電制御されることにより、第１面部２８に直交する方向に直動する。可動子６は、磁性体素材からなる。
【００２１】
ばね７は、自然長よりも短い状態で、一端がコア５に、一端に対向する他端が可動子６に当接されている。
コイル４が通電されると、コイル４に流れる電流により磁束が発生する。発生した磁束は、コア５、ヨーク２、プレート３、可動子６により構成される磁気回路を流れる。この磁気回路に磁束が流れると、可動子６とコア５との間に磁気吸引力が発生し、可動子６は、コア５のある方向に向かって移動する。そのため、ばね７の長さはコイル４が通電される前よりも短くなり、自然長に戻ろうとする力が強くなる。コイル４が通電されなくなると、可動子６とコア５との間のばね７が自然長に戻ろうとする力により、可動子６は、コイル４が通電される前の位置まで、コア５のある方向と反対の方向に向かって移動する。
このようにして、可動子６は、コイル４を通電制御することにより第１面部２８に直交する方向に直動する。
【００２２】
図２に示したソレノイドアクチュエータ１は、コア５を有し、ヨーク２、プレート３及びコア５で固定子を構成した例が示されているが、これに限定されるものではない。例えば、ソレノイドアクチュエータ１は、コア５を無くし、ヨーク２及びプレート３により固定子を構成することも可能である。この場合、ソレノイドアクチュエータ１は、コイル４が通電された際に、ヨーク２、プレート３及び可動子６により磁気回路を構成するものであればよい。ヨーク２、プレート３及び可動子６により磁気回路を構成するために、例えば、ソレノイドアクチュエータ１は、可動子６を第１面部２８に直交する方向における第１面部２８に向かう方向に伸ばした形状にしてもよい。また、例えば、ソレノイドアクチュエータ１は、コア５が固定されていたヨーク２の第１面部２８における部位を可動子６の方向に凸状に伸ばした形状にしてもよい。
【００２３】
これまでの実施の形態１に係るソレノイドアクチュエータ１についての説明は、図８を用いて上で説明した従来のソレノイドアクチュエータ１０１と大きな違いはない。
実施の形態１に係るソレノイドアクチュエータ１は、以下の点において従来のソレノイドアクチュエータ１と大きく異なる。
実施の形態１に係るソレノイドアクチュエータ１におけるヨーク２は、第２面部２７の他端部にかしめ用凸部２１とは異なる凸部２２を有する。
実施の形態１に係るソレノイドアクチュエータ１におけるプレート３は、固定部３１とは異なる当接部３２を有する。
更に、ヨーク２の凸部２２とプレート３の当接部３２とが当接されている。ここで、ヨーク２の凸部２２とプレート３の当接部３２との当接とは、プレート３の当接部３２の一部が当接された状態であってもよく、また、ヨーク２の凸部２２とプレート３の当接部３２とが至近な距離で対向している状態であってもよい。
【００２４】
ヨーク２の凸部２２は、当該凸部２２における第１面部２８に直交する方向に平行な面で、プレート３の当接部３２と当接する。また、プレート３の当接部３２は、プレート３における第１面部２８に直交する方向に平行な面で、ヨーク２の凸部２２に当接する。これによって、実施の形態１に係るソレノイドアクチュエータ１は、図９に示した従来のソレノイドアクチュエータ１０１におけるヨーク１０２とプレート１０３とが当接する面積と比較して、ヨーク２とプレート３とが当接する面積を増大させつつ、コイル４を第１面部２８とプレート３とで挟持した状態で、プレート３と第２面部２７とを固定できる。
【００２５】
図４は、ヨーク２とプレート３とが当接する面積の大きさと、可動子６が直動するための推力である可動子６とコア５との間に作用する磁気吸引力の第１面部２８に直交する方向の成分の大きさとの関係の一例を示す図である。図４は、ヨーク２とプレート３とが当接する面積が大きくなると、可動子６が直動するための推力が増大することを示している。
実施の形態１に係るソレノイドアクチュエータ１は、図８に示した従来のソレノイドアクチュエータ１０１と比較して、ヨーク２の凸部２２とプレート３の当接部３２とが当接されている分、ヨーク２とプレート３とが当接する面積が大きくなる。すなわち、実施の形態１に係るソレノイドアクチュエータ１は、図８に示した、従来のソレノイドアクチュエータ１０１と比較して、可動子６の推力を向上させることができる。
【００２６】
以上のように、この発明に係るソレノイドアクチュエータ１は、第１面部２８と、一端部が第１面部２８に固定され、一端部に対向する他端部が第１面部２８に直交する方向に延びる第２面部２７とを有する磁性体素材からなるヨーク２と、第２面部２７の他端部に設けられたかしめ用凸部２１が挿入される固定部３１を有し、かしめ用凸部２１がかしめられることで固定部３１が第２面部２７に固定される磁性体素材からなる第１面部２８に平行なプレート３と、により構成された固定子と、第１面部２８とプレート３とにより挟持されたコイル４と、コイル４が通電された際に固定子と共に磁気回路を構成し、コイル４が通電制御されることにより、第１面部２８に直交する方向に直動する磁性体素材からなる可動子６と、を備え、ヨーク２は、他端部にかしめ用凸部２１とは異なる凸部２２を有し、プレート３は、固定部３１とは異なる当接部３２を有し、ヨーク２の凸部２２とプレート３の当接部３２とが、当接されるように構成した。
このように構成することで、部材を追加せずに可動子６の推力を向上させたソレノイドアクチュエータ１を提供できる。
【００２７】
以下に、実施の形態１の変形例に係るソレノイドアクチュエータ１について説明する。
【００２８】
図５Ａは、実施の形態１の変形例に係るソレノイドアクチュエータ１の構成の一例を示す断面図である。
図５Ａを用いて、実施の形態１の変形例に係るソレノイドアクチュエータ１について説明する。
実施の形態１に係るソレノイドアクチュエータ１と、実施の形態１の変形例に係るソレノイドアクチュエータ１と、の相違点は以下のとおりである。
実施の形態１に係るソレノイドアクチュエータ１は、プレート３が平板状であった。
これに対して、実施の形態１の変形例に係るソレノイドアクチュエータ１におけるプレート３は、プレート３における直動用孔部３３の縁が第１面部２８に直交する方向における第１面部２８に向かう方向に伸びた凸状縁部３４を有する。
【００２９】
図５Ｂは、コイル４が通電された状態における図５Ａに示した実施の形態１の変形例に係るソレノイドアクチュエータ１の構成の一例を示す断面図である。
図５Ｂに示したとおり、コイル４が通電された際の実施の形態１の変形例に係るソレノイドアクチュエータ１におけるプレート３と可動子６とが対向する面の面積は、プレート３が凸状縁部３４を有することで、実施の形態１に係るソレノイドアクチュエータ１と比較して増大する。すなわち、実施の形態１の変形例に係るソレノイドアクチュエータ１は、コイル４が通電された際にプレート３と可動子６とが対向する面の面積を増大することで磁気回路における磁束量を増大させることができ、実施の形態１に係るソレノイドアクチュエータ１と比較して、可動子６の推力を向上させることができる。
【００３０】
図５Ａ及び図５Ｂに示した実施の形態１の変形例に係るソレノイドアクチュエータ１におけるプレート３は、プレート３の凸状縁部３４が、第１面部２８に直交する方向における第１面部２８に向かう方向に伸びた構造をしているが、これに限るものではない。例えば、プレート３の凸状縁部３４が、第１面部２８に直交する方向における第１面部２８に向かう方向と反対の方向に伸びた構造をしていてもよい。また、例えば、プレート３の凸状縁部３４が、第１面部２８に直交する方向における第１面部２８に向かう方向、及び、第１面部２８に直交する方向における第１面部２８に向かう方向と反対の方向、の両方向に向かって伸びた構造をしていてもよい。また、プレート３に凸状縁部３４を設けず、プレート３自体を第１面部２８に直交する方向に厚くすることで、プレート３と可動子６とが対向する面の面積を増大させてもよい。
【００３１】
実施の形態１の異なる変形例に係るソレノイドアクチュエータ１について説明する。
【００３２】
実施の形態１に係るソレノイドアクチュエータ１と、実施の形態１の異なる変形例に係るソレノイドアクチュエータ１と、の相違点は以下のとおりである。
実施の形態１に係るソレノイドアクチュエータ１は、プレート３が平板状であり、可動子６がプレート３の直動用孔部３３を第１面部２８に直交する方向に直動するように構成されていた。
これに対して、実施の形態１の異なる変形例に係るソレノイドアクチュエータ１におけるプレート３は、プレート３における直動用孔部３３の縁が第１面部２８に直交する方向における第１面部２８に向かう方向に伸びた凸状縁部３４を有する。また、実施の形態１の異なる変形例に係るソレノイドアクチュエータ１は、可動子６のばね７が当接されている面に対向する面に、プレート３の直動用孔部３３から可動子６に向かって差し込んだ樹脂素材等の棒状部材の一端が固定され、この棒状部材が可動子６に連動して、プレート３の直動用孔部３３を直動するように構成される。
このような構成におい、可動子６の第１面部２８に平行な平面における外径と比較して、棒状素材を細くすることで、プレート３の直動用孔部３３を小さくできるため、磁気回路における磁気抵抗を小さくすることが可能になる。
【００３３】
実施の形態１の更に異なる変形例に係るソレノイドアクチュエータ１について説明する。
【００３４】
図６は、実施の形態１の更に異なる変形例に係るソレノイドアクチュエータ１におけるヨーク２の凸部２２とプレート３の当接部３２とが当接する部分の断面の一例を示す模式図である。
図６を用いて、実施の形態１の更に異なる変形例に係るソレノイドアクチュエータ１について説明する。
【００３５】
実施の形態１に係るソレノイドアクチュエータ１と、実施の形態１の更に異なる変形例に係るソレノイドアクチュエータ１と、の相違点は以下のとおりである。
実施の形態１に係るソレノイドアクチュエータ１は、ヨーク２の凸部２２とプレート３の当接部３２とが、互いに第１面部２８に直交する方向に平行な面で当接されるように構成されていた。
これに対して、実施の形態１の更に異なる変形例に係るソレノイドアクチュエータ１は、ヨーク２の凸部２２がプレート３の当接部３２に圧入されている。このため、ヨーク２の凸部２２は、ヨーク２の凸部２２におけるプレート３の当接部３２に当接している面の裏面の方向に反った形状を有している。ヨーク２の凸部２２がプレート３の当接部３２に圧入されることで、ヨーク２の凸部２２におけるプレート３の当接部３２との間の接触圧を高め、当接の確実性を向上させることができるため、磁気回路における磁気抵抗を小さくすることが可能になる。
【００３６】
また、プレート３の当接部３２におけるヨーク２の凸部２２が当接される部位は、ヨーク２の凸部２２におけるプレート３の当接部３２に当接する部位に対して略平行になるように、第１面部２８に直交する方向に対して勾配を有した形状をしている。プレート３の当接部３２が勾配を有することで、実施の形態１に係るソレノイドアクチュエータ１と比較して、ヨーク２とプレート３とが接触する面積が増大し、磁気回路における磁気抵抗を小さくすることが可能になる。
【００３７】
これまで説明した実施の形態に係るソレノイドアクチュエータ１は、車載用ソレノイドアクチュエータとして用いられる。ソレノイドアクチュエータ１は、パージソレノイドバルブ、ウェイストゲートバルブ、エアバイパスバルブ等の空圧アクチュエータ制御用ソレノイドバルブ等に適用することが可能である。
【００３８】
図７は、これまで説明した実施の形態に係るソレノイドアクチュエータ１をパージソレノイドバルブ７０に適用した構成の一例を示す外観図である。
パージソレノイドバルブ７０は、ソレノイドアクチュエータ１のプレート３と、バルブ格納部７１とが固定されている。ソレノイドアクチュエータ１は、固定用フランジ７９がボルト等で固定されることで、車内の使用箇所において固定されるようになっている。ソレノイドアクチュエータ１は、コイル接続部７８を介してコイル４が通電制御されることで、可動子６を直動させる。パージソレノイドバルブ７０は、ソレノイドアクチュエータ１の可動子６の直動に連動して、バルブ格納部７１内のバルブが開閉されることで、吸気管７２から排気管７３に流れる流体の流れを制御する。
【００３９】
これまで説明した実施の形態に係るソレノイドアクチュエータ１は、プレート３の当接部３２が、プレート３を第１面部２８に直交する方向に貫通した孔によって構成されていたが、この限りではない。プレート３の当接部３２は、ヨーク２の凸部２２における第１面部２８に直交する方向に平行な面が、当接されるものであればよい。例えば、プレート３の当接部３２は、プレート３における第１面部２８に直交する方向に平行な端面に設けられてもよい。また、例えば、プレート３の当接部３２は、プレート３における第１面部２８に直交する方向に平行な端面に設けられた凹部であってもよい。
また、これまで説明した実施の形態に係るソレノイドアクチュエータ１は、プレート３の当接部３２及びヨーク２の凸部２２が、それぞれ４個ずつ示されていたが、この限りではない。プレート３の当接部３２及びヨーク２の凸部２２の個数、位置、形状等は、適宜設計可能である。
【００４０】
また、これまで説明した実施の形態に係るソレノイドアクチュエータ１は、プレート３の固定部３１が、プレート３を第１面部２８に直交する方向に貫通した孔によって構成されていたが、この限りではない。プレート３の固定部３１は、ヨーク２のかしめ用凸部２１がかしめられることで、ヨーク２のかしめ用凸部２１がプレート３を第１面部２８に直交する方向における第１面部２８に向かう方向に固定可能な形状であればよい。例えば、プレート３の固定部３１は、プレート３における第１面部２８に直交する方向に平行な端面に設けられてもよい。また、例えば、プレート３の固定部３１は、プレート３における第１面部２８に直交する方向に平行な端面に設けられた凹部であってもよい。
【００４１】
なお、この発明はその発明の範囲内において、各実施の形態の自由な組み合わせ、あるいは各実施の形態の任意の構成要素の変形、もしくは各実施の形態において任意の構成要素の省略ができる。
【符号の説明】
【００４２】
１  ソレノイドアクチュエータ、２  ヨーク、３  プレート、４  コイル、５  コア、６  可動子、７  ばね、１０  隙間、２１  かしめ用凸部、２２  凸部、２７  第２面部、２８  第１面部、３１  固定部、３２  当接部、３３  直動用孔部、３４  凸状縁部、７０  パージソレノイドバルブ、７１  バルブ格納部、７２  吸気管、７３  排気管、７８  コイル接続部、７９  固定用フランジ、１０１  ソレノイドアクチュエータ、１０２  ヨーク、１０３  プレート、１０４  コイル、１１０  隙間、１２１  かしめ用凸部、１３１  固定部。
【図１】
2019204854.tif 000003
【図２】
2019204854.tif 000004
【図３】
2019204854.tif 000005
【図４】
2019204854.tif 000006
【図５】
2019204854.tif 000007
【図６】
2019204854.tif 000008
【図７】
2019204854.tif 000009
【図８】
2019204854.tif 000010
【図９】
2019204854.tif 000011